(57)【要約】  【課題】  洗濯ネットを用いて衣類の汚れをより効果的に落とすことができるようにすることを課題とする。  【解決手段】  洗濯ネットとして、袋状の網により形成されるネット本体と、前記ネット本体に設けられる、ネット本体内部を封止し開放する封止部と、前記ネット本体の内面の少なくとも一部に複数設けられる突起体とにより構成する。このような構成により、洗濯物はネット本体内部で激しく動き、ネット本体内面の複数の突起体に洗濯物が擦られ、洗濯物の汚れが効率よく落とされる。【選択図】  図２
2006304843.tif 000002
【特許請求の範囲】
【請求項１】
袋状の網により形成されるネット本体と、
前記ネット本体に設けられる、ネット本体内部を封止し開放する封止部と、
前記ネット本体の内面の少なくとも一部に複数設けられる突起体と
を有する洗濯ネット。
【請求項２】
前記突起体は、前記ネット本体内面の全面に渡って設けられる請求項1に記載の洗濯ネット。
【請求項３】
前記突起体は長尺の突起物であって、並列に配置される請求項１又は２に記載の洗濯ネット。
【請求項４】
前記突起体は板状に一体に形成される請求項３に記載の洗濯ネット。
【請求項５】
前記突起体は粒状の突起物である請求項１又は２に記載の洗濯ネット。
【請求項６】
前記ネット本体は扁平であって対向する内面に向かう力を付与する付勢手段が設けられる請求項１から５のいずれか１項に記載の洗濯ネット。
【発明の詳細な説明】
【技術分野】
【０００１】
本発明は洗濯機を用いて衣類を洗濯する際に、衣類を内部に保持する洗濯ネットに関する。
【背景技術】
【０００２】
洗濯機を用いて洗濯をする場合において、汚れが酷い衣類等については予め洗濯板やブラシを用いて予備洗いを行うことが望ましく、これにより、単に洗浄力の強い洗剤を用いて洗濯するよりも汚れを効果的に落とすことができる。
【発明の開示】
【発明が解決しようとする課題】
【０００３】
しかし、予備洗いは手間がかかる作業であり、時間と労力の負担が大きい。
一方で、洗濯機の中に浮遊する糸くずが洗浄物に付着するのを防いだり、洗濯物同士が絡むことを防ぐ等の目的で衣類を洗濯ネットに入れて洗濯をすることが広く行われている。洗濯ネットは衣類の保護を目的とするが、衣類を閉じた空間に封入することができ、狭い空間内で洗濯物は激しく動くことになる。これは洗浄効果があり、予備洗いに代わる効果を持たせることが可能であると考えられるが、従来の洗濯ネットでは十分に汚れを落とすことはできない。
そこで、本発明はこのような観点から、洗濯ネットを用いて衣類の汚れをより効果的に落とすことができるようにすることを課題とする。
【課題を解決するための手段】
【０００４】
上記課題を解決するために、本発明は次のような構成を有する。
請求項１に記載の発明は、袋状の網により形成されるネット本体と、前記ネット本体に設けられる、ネット本体内部を封止し開放する封止部と、前記ネット本体の内面の少なくとも一部に複数設けられる突起体とを有する洗濯ネットである。
請求項２に記載の発明は、前記洗濯ネットにおいて、前記突起体は、前記ネット本体内面の全面に渡って設けられるものである。
請求項３に記載の発明は、前記洗濯ネットにおいて、前記突起体は長尺の突起物であって、並列に配置されるものである。
請求項４に記載の発明は、請求項３に記載の洗濯ネットにおいて、前記突起体は板状に一体に形成されるものである。
請求項５に記載の発明は、請求項１又は２に記載の洗濯ネットにおいて、前記突起体は粒状の突起物としたものである。なお、粒状の突起物は、底面の最大長さが５ｍｍ〜１００ｍｍ、高さが５ｍｍ〜１００ｍｍ以内のものが想定される。
請求項６に記載の発明は、前記洗濯ネットにおいて、前記ネット本体は扁平であって対向する内面同士に互いに向かう力を付与する付勢手段が設けられるものである。
【発明の効果】
【０００５】
請求項１に記載の発明は、ネット本体内に洗濯物を入れ封止部によりネット本体内部を封止して洗濯機に投入し洗濯機を作動させると、ネット本体内部で洗濯物が激しく動き、ネット本体内面の複数の突起体に洗濯物が擦られることになる。これにより、洗濯物の汚れを効率的に落とすことができる。
請求項２に記載の発明は、前記突起体をネット本体内面の全面に渡って設けることで、洗濯物が突起体に触れることが多くなり、より汚れを落とすことができる。
請求項３に記載の発明は、突起物を長尺としてこれを並列に設けることで並列方向に洗濯物が擦れた場合に、洗濯物の広い面を隙間なく順次突起物で擦ることができる。
請求項４に記載の発明は、突起体を板状に一体に形成することで隣接する突起体同士が固定され、洗濯物に対する押圧力を強めることができる。
請求項５に記載の発明は、突起体を粒状にすることで、洗濯物がどの方向から擦れても突起として摩擦力を付加することができる。
請求項６に記載の発明は、前記ネット本体を扁平とし、対向する内面同士に互いに向かう力を付与する付勢手段を有するので、ネット本体内部の洗濯物が対向する内面同士に挟まれ付勢手段により押し付けられるので、内面に設けられた突起体がより強い力で洗濯物を擦ることになり、汚れをより効率的に落とすことができる。  
【発明を実施するための最良の形態】
【０００６】
（実施形態１）
以下、本発明の実施形態について、図面を参照しながら説明する。
図１に本実施形態に係る洗濯ネットＸの正面図を示し、図２に洗濯ネットＸを開いた状態を表す正面図を示し、図３に図１におけるＡ−Ａ断面図を示す。この洗濯ネットＸはネット本体１０、封止部２０、突起板３０とから構成される。
ネット本体１０は合成樹脂で形成された網により構成され、長方形状の網を中央で折り、重なる縁部を封止部２０により封止することで袋状に形成されている。
封止部２０は、メカニカルファスナーにより形成され前記ネット本体１０の重なる縁部同士を着脱可能となるように当該両縁部に取り付けられている。これにより袋状のネット本体１０内部を封止し開放することができる。
突起板３０は、断面山形の長尺の突起体３１が並列に配置されるように構成される板状体であって、弾性のある合成樹脂により形成される。突起板３０は、前記ネット本体１０の内部の相対する面のそれぞれのほぼ全面に渡って固定されている。また、突起板３０の突起体３１同士の間に形成される溝部分には水流を通すための穴３２が形成されている。
【０００７】
次に、以上のような構成を有する洗濯ネットＸの使用方法について説明する。使用者は、まず、洗濯ネットＸを図２に示すような状態に開き、洗濯物を乗せて封止部２０を閉じることで洗濯物をネット本体１０内部へと入れる。この際、洗濯物は、突起板３０間に押圧されるように挟まれ、かつ、ある程度内部で動くことができる程度の量を入れることが望ましい。そして、この状態で洗濯ネットＸを洗濯機の中へ投入し、洗濯機により洗濯を行う。洗濯中において洗濯ネットＸ内の突起板３０と洗濯物は水流により激しく動き、突起板３０の突起体３１はネット本体１０内部の洗濯物を激しく擦ることになる。これにより、洗濯物の汚れを効率的に落とすことができる。また、突起板３０に弾性力があるので、洗濯物により内部が膨れると元の形状に戻ろうとして、ネット本体１０の対向する内面同士を互いに向う方向へ力が発生する。これにより洗濯物は突起体３１に押し付けられより強く擦られることになる。このように突起板３０を弾性体により構成することで、突起板３０は付勢手段としての機能を果たす。
【０００８】
（実施形態２）
図４に実施形態２にかかる洗濯ネットＹの一部破断斜視図を示す。洗濯ネットＹは、ネット本体５０、封止部６０、突起体７０とから構成される。
ネット本体１０は合成樹脂で形成された網により底面と上面を有する円筒形体の袋状に形成される。即ち、円形の網により構成される底面および上面の縁部を長方形状の網により構成される側面の上下縁と接合することで、円筒形状に形成している。また、側面は縦に切れ目が入っており、ここに封止部６０が設けられる。
封止部６０は、メカニカルファスナーにより形成されネット本体の側面の切れ目の縁部同士を着脱可能となるように、当該両縁部に取り付けられている。これにより袋状のネット本体５０内部を封止し開放することができる。
突起部７０は、合成樹脂により形成される半径１５ｍｍの半球形状を有し、ネット本体１０の内面全体に渡って一定間隔を設けて複数固定されている。
【０００９】
次に、以上のような構成を有する洗濯ネットＹの使用方法について説明する。使用者は、まず、洗濯ネットＹの封止部６０を構成するメカニカルファスナーを開けて、ネット本体５０を開放し、内部に洗濯物を入れる。この際、洗濯物はややネット本体５０内で空間的な余裕を持つ程度の量を入れることが望ましい。そして、この状態で洗濯ネットＹを洗濯機の中へ投入し、洗濯機により洗濯を行う。洗濯中において洗濯ネットＹ内の突起体７０と洗濯物は水流により激しく動く。これにより、洗濯物はネット本体５０内面に取り付けられた突起体７０に何度も擦られることになる。これにより、洗濯物の汚れを効率的に落とすことができる。
【００１０】
なお、上記実施形態１において、突起体を長尺の突起としているが、実施形態２に示すような粒状の突起を間隔を開けて配置するようにしてもよい。この際、板状の弾性体を対向する面に固定し付勢手段とすることが望ましい。また、上記実施形態２において、図５に示すように長尺の突起体８０を並列に並べるような構成としてもよい。さらに、突起体の形状は、上記の例以外にも洗濯物を擦ることで汚れを落とすことができる形状であれば種々の形状を採用することができ、また、材質も、ゴム、木、金属等適宜変更してよい。
また、上記実施形態では封止部としてメカニカルファスナーを利用しているが、ホックやボタン、面ファスナーなど、封止し開放できるものであれば種々のものが採用できる。
さらに、ネット本体の形状も袋状になっていればどのようなものでも使用でき、球形や立方体等種々の変形が可能である。
そして、上記実施の形態では突起体が内面に位置するように使用しているが、封止部を裏面からでも封止できるものを使用することで、袋本体を裏返して突起体を表面側に位置づけて使用することもできる。このようにすることで、袋本体内部の衣類に対しては従来の洗濯ネットと同様の機能を果たすことができるとともに、洗濯ネットの外に存する衣類に対しては突起体が表面を擦ることでより汚れを落とすことが可能となる。
【図面の簡単な説明】
【００１１】
【図１】実施形態１に係る洗濯ネットの正面図である。
【図２】実施形態１に係る洗濯ネットの開いた状態を表す正面図である。
【図３】図１におけるＡ−Ａ断面図である。
【図４】実施形態２に係る洗濯ネットの一部破断斜視図である。
【図５】実施形態２に係る洗濯ネットの変形例を示す一部破断斜視図である。
【符号の説明】
【００１２】
Ｘ、Ｙ      洗濯ネット
１０、５０  ネット本体
２０、６０  封止部
３０        突起板
３１、７０、８０  突起体
【図１】
2006304843.tif 000003
【図２】
2006304843.tif 000004
【図３】
2006304843.tif 000005
【図４】
2006304843.tif 000006
【図５】
2006304843.tif 000007